(57)【要約】【課題】  周囲環境悪化の問題や経時的忌避効果減少等の問題を防止又は減少させることができる動物の忌避具を提供する。【解決手段】一端と他端とを有する支持部材と、棒材又は線材によって形成され、該一端と該他端とを結ぶ線分に交わり該線分に対して垂直な仮想上の平面である基準面に平行な成分を、基端から先端を結ぶ突出方向が有するように基端が支持部材に取り付けられる突出部材と、を備えてなる、動物の忌避具である。【選択図】図１
0003176508.tif 000002
【実用新案登録請求の範囲】
【請求項１】
一端と他端とを有する支持部材と、
棒材又は線材によって形成され、該一端と該他端とを結ぶ線分に交わり該線分に対して垂直な仮想上の平面である基準面に平行な成分を、基端から先端を結ぶ突出方向が有するように基端が支持部材に取り付けられる突出部材と、
を備えてなる、動物の忌避具。
【請求項２】
基準面への突出方向の正投影である投影突出方向が互いに異なる少なくとも２以上の突出部材を備えるものである、請求項１に記載の忌避具。
【請求項３】
突出部材が少なくとも３本存するものであり、
各突出部材の先端の基準面への正投影を結んだ図形によって、支持部材の基準面への正投影が取り囲まれるものである、請求項２に記載の忌避具。
【請求項４】
２の突出部材が一体の突出部材形成部材によって形成されており、支持部材に形成された支持部材貫通孔に突出部材形成部材が貫入され、支持部材貫通孔に貫入された突出部材形成部材が、支持部材貫通孔から一方側に突出した一方突出部分と、支持部材貫通孔から他方側に突出した他方突出部分と、を有しており、一方突出部分と他方突出部分とが該２の突出部材を形成するものである、請求項２又は３に記載の忌避具。
【請求項５】
突出部材形成部材の長手方向に沿って突出部材形成部材に対する相対的移動が規制され支持部材貫通孔を通過不可能な係止具が、一方突出部分と他方突出部分との少なくともいずれかに取り付けられているものである、請求項４に記載の忌避具。
【請求項６】
係止具は、突出部材形成部材に外嵌される可撓性材料によって形成されたリング状部材である、請求項５に記載の忌避具。
【請求項７】
突出部材の基準面への正投影において、突出部材の先端及びそれに連なる部分が、支持部材の基準面への正投影からの距離が該先端に向かうにつれて単調増加するものである、請求項１乃至６のいずれか１に記載の忌避具。
【請求項８】
突出部材の基準面への正投影が線分に略沿っているものである、請求項７に記載の忌避具。
【請求項９】
突出部材が基端から先端まで線分に略沿っているものである、請求項８に記載の忌避具。
【請求項１０】
支持部材が、線分に略沿った棒状部材により形成されているものである、請求項１乃至９のいずれか１に記載の忌避具。
【請求項１１】
支持部材と突出部材とを含んでなる、請求項１乃至１０のいずれか１に記載の忌避具を製作する製作キット。
【請求項１２】
支持部材と突出部材と係止具とを含んでなる、請求項５又は６に記載の忌避具を製作する製作キット。
【考案の詳細な説明】
【技術分野】
【０００１】
本考案は、動物の忌避具に関し、より詳細には、周囲環境が悪化する問題や経時的に忌避効果が減少等する問題を防止又は減少させることができる動物の忌避具に関する。
【背景技術】
【０００２】
従来から、野良猫や野良犬等のような動物を忌避するための忌避具が用いられてきた（例えば、特許文献１参照）。
特許文献１には、「種々の動物に対する臭気による忌避効果が長期間にわたって安定的に持続し、施工容易であり、放置しておいても環境を損なう虞れがなく、傾斜地における表土固定用として育成する草木の保護に好適な害獣忌避具を提供する」（特許文献１、要約の課題）ためになされた「切断竹材１の節１１を底として上位に開口部１０ａを設けた中空部１０内に、臭気によって害獣を忌避させる害獣忌避剤２が収容されてなる害獣忌避具Ｔ１」（特許文献１、要約の解決手段）が開示されている。
【０００３】
このような特許文献１に開示された忌避具は、「切断竹材１の中空部１０内に害獣忌避剤２を収容しているから、該切断竹材１を中空部１０の開口部１０ａ側が上になる姿勢で、地面に突き立てたり、適当な治具や索体等を介して固定しておけば、害獣忌避剤２が散逸することなく、その臭気による忌避作用を長期にわたって安定的に発揮できる。また、害獣忌避剤２を保持させる切断竹材１は、非常に安価に入手できる上に、節１１によって有底の中空部１０を構成するため、害獣忌避剤２を収容するのに格別な加工を施す必要がなく、しかも使用状態で放置しておいても、最終的に朽ち果ててバクテリア等の微生物によって分解されるから、環境への負荷にならない。」（特許文献１、段落番号００１８）という効果を奏するものである。
【先行技術文献】
【特許文献】
【０００４】
【特許文献１】特開２００８−２８３９１１公報（例えば、要約、段落番号００１８、００３２〜００４２、第１図等）
【考案の概要】
【考案が解決しようとする課題】
【０００５】
このような特許文献１に開示されたような忌避具は、害獣忌避剤２の臭気による忌避効果に基づくので、害獣忌避剤２の種類によってはその臭気や成分により周囲環境が悪化する問題（例えば、臭気を人間が不快に感じるため人間の生活空間内又はそれに近い位置には設置できないこともある。）や、害獣忌避剤２の散逸や流出によって忌避効果が減少又は消失するという経時的な効果減少等の問題があった。
そこで、本考案では、周囲環境悪化の問題や経時的忌避効果減少等の問題を防止又は減少させることができる動物の忌避具を提供することを目的とする。
【課題を解決するための手段】
【０００６】
本考案の動物の忌避具（以下、「本忌避具」という。）は、一端と他端とを有する支持部材と、棒材又は線材によって形成され、該一端と該他端とを結ぶ線分に交わり該線分に対して垂直な仮想上の平面である基準面に平行な成分を、基端から先端を結ぶ突出方向が有するように基端が支持部材に取り付けられる突出部材と、を備えてなる、動物の忌避具である。
本忌避具は、支持部材と突出部材とを備えてなる。支持部材は一端と他端とを有する。突出部材は棒材又は線材によって形成されると共に、基端が支持部材に取り付けられる。突出部材の基端から先端を結ぶ突出方向は基準面に平行な成分を有するように突出部材の基端が支持部材に取り付けられる。基準面は、仮想上の平面であり、支持部材の該一端と該他端とを結ぶ線分に交わり該線分に対して垂直な仮想上の平面である。
このような本忌避具によれば、忌避したい動物（例えば、ネコ）が歩行、排尿及び脱糞等する地表面に本忌避具の支持部材を立設すれば（例えば、支持部材の該一端と該他端とを結ぶ線分に地表面が交わる（例えば地表面が基準面に略平行になる）ように支持部材の該他端側が地表から上方へ突出するように該一端側を地中へ埋設する。）、地表面に沿った成分を有するように突出部材が支持部材に取り付けられているので、忌避したい動物が（突出部材が突出している方向から）地表面を歩いて本忌避具に近づいて来ると、突出部材に忌避したい動物の身体（顔面や触角を含む）が衝突する。これによって忌避したい動物が、痛み、不快感、恐怖を感じそれ以上に本忌避具に近づかないことや、このような経験に基づく学習によって忌避したい動物が本忌避具に近寄らなくなることで本忌避具は忌避効果を効果的に奏する。このように本忌避具は支持部材と突出部材とを備えることで、周囲環境が悪化する問題や経時的な忌避効果減少等の問題を防止等させつつ効果的な忌避効果を奏することができる。
【０００７】
本忌避具においては、基準面への突出方向の正投影である投影突出方向が互いに異なる少なくとも２以上の突出部材を備えるもの（以下、「異方向突出本忌避具」という。）であってもよい。
こうすることで２以上の突出部材各々が突出する地表面に沿った成分の方向が互いに異なるので、地表面に沿った様々な方向から本忌避具に近づいて来る動物を忌避することができる。
【０００８】
異方向突出本忌避具の場合、突出部材が少なくとも３本存するものであり、各突出部材の先端の基準面への正投影を結んだ図形によって、支持部材の基準面への正投影が取り囲まれるものであってもよい。
こうすることで支持部材の基準面への正投影が、突出部材の先端の基準面への正投影を結んだ図形により取り囲まれるので、地表面に沿ったいずれの方向から本忌避具に動物が近づいて来ても、突出部材に動物の身体（顔面や触角を含む）が衝突しやすくなり、本忌避具が忌避効果を一層効果的に奏することができる。
【０００９】
異方向突出本忌避具の場合、２の突出部材が一体の突出部材形成部材によって形成されており、支持部材に形成された支持部材貫通孔に突出部材形成部材が貫入され、支持部材貫通孔に貫入された突出部材形成部材が、支持部材貫通孔から一方側に突出した一方突出部分と、支持部材貫通孔から他方側に突出した他方突出部分と、を有しており、一方突出部分と他方突出部分とが該２の突出部材を形成するもの（以下、「突出部材形成部材貫入本忌避具」という。）であってもよい。
このように一体の突出部材形成部材が、支持部材に形成された支持部材貫通孔に貫入され、支持部材貫通孔から一方側に突出した一方突出部分と、支持部材貫通孔から他方側に突出した他方突出部分と、を有し、一方突出部分と他方突出部分とが２の突出部材を形成することで、２の突出部材を容易に形成することができると共に２の突出部材を確実かつ容易に支持部材に取り付けることができる。
【００１０】
突出部材形成部材貫入本忌避具の場合、突出部材形成部材の長手方向に沿って突出部材形成部材に対する相対的移動が規制され支持部材貫通孔を通過不可能な係止具が、一方突出部分と他方突出部分との少なくともいずれかに取り付けられているもの（以下、「係止具取付本忌避具」という。）であってもよい。
このように一方突出部分と他方突出部分との一方又は両方に係止具を取り付ければ、係止具は突出部材形成部材の長手方向に沿って突出部材形成部材に対する相対的移動が規制されると共に支持部材貫通孔を通過不可能であるので、係止具が支持部材に当接することによって突出部材形成部材が支持部材に対して相対的に移動することを規制し、一方突出部分と他方突出部分とを保持することができる。とりわけ係止具が一方突出部分と他方突出部分との両方に取り付けられ、さらに一方突出部分と他方突出部分とを所望長さ（例えば、一方突出部分と他方突出部分との長さが略等しくなる）とする状態において係止具が支持部材貫通孔の一方側と他方側との両方から支持部材に当接するようにすれば一方突出部分と他方突出部分とを一層うまく保持することができる。
【００１１】
係止具取付本忌避具の場合、係止具は、突出部材形成部材に外嵌される可撓性材料によって形成されたリング状部材であってもよい。
このように可撓性材料（例えば、ゴムや柔軟な樹脂材料等）によって形成されたリング状部材を係止具とすれば、かかるリング状部材を突出部材形成部材に外嵌することで、突出部材形成部材の長手方向に沿った突出部材形成部材に対するリング状部材の相対的移動を容易に規制することができるので、係止具を簡単かつ容易に構成することができる。
【００１２】
本忌避具においては、突出部材の基準面への正投影において、突出部材の先端及びそれに連なる部分が、支持部材の基準面への正投影からの距離が該先端に向かうにつれて単調増加するもの（以下、「先端突出本忌避具」という。）であってもよい。
こうすることで突出部材の先端近傍（先端及びそれに連なる部分）の基準面への正投影と、支持部材の基準面への正投影と、の距離が、突出部材の先端に向かうにつれて単調増加するので、突出部材の先端が支持部材から基準面に沿った方向に突出する（突出部材の先端が支持部材から離れる方向に突出する）。このため本忌避具に近づいて来る動物に対して突出部材の先端が突出しているので動物を効果的に忌避することができる（突出部材の先端に忌避したい動物の身体（顔面や触角を含む）が突き刺さるように衝突し、忌避したい動物が、痛み、不快感、恐怖をより強く感じそれ以上に本忌避具に近づかないことや、このような強烈な経験に基づく学習によって忌避したい動物が本忌避具にうまく近寄らなくなる。）。
【００１３】
先端突出本忌避具の場合、突出部材の基準面への正投影が線分に略沿っているもの（以下、「線分正投影突出部材本忌避具」という。）であってもよい。
このように突出部材の基準面への正投影が線分に略沿っていることで、動物に突出部材の先端が当接し、動物によって該先端が支持部材の一端と他端とを結ぶ線分に向かって押されても、本忌避具が該線分の周りに回動する力を生じにくいことから、本忌避具の突出部材の突出方向が不意に変化することを防止又は減少させることができる。
【００１４】
線分正投影突出部材本忌避具の場合、突出部材が基端から先端まで線分に略沿っているものであってもよい。
このように突出部材が基端から先端まで線分に略沿っていることで、動物に突出部材の先端が当接し、動物によって突出部材の先端が基端方向に向かって押される際、突出部材を圧縮することになるので（圧縮方向の弾性は曲げ弾性よりも通常高い）、該先端が動物を押し返す力が大きくなる。これにより突出部材の先端に忌避したい動物の身体（顔面や触角を含む）が強く突き刺さるように衝突し、忌避したい動物が、痛み、不快感、恐怖をより一層強く感じそれ以上に本忌避具に近づかないことや、このような一層強烈な経験に基づく学習によって忌避したい動物が本忌避具にうまく近寄らなくなる。
【００１５】
本忌避具においては、支持部材が、線分に略沿った棒状部材により形成されているものであってもよい。
このように支持部材を線分に略沿った棒状部材により形成することで、地表面に支持部材を突き刺すようにして容易かつ確実に支持部材を地表面に立設することができる。
【００１６】
本考案は、本忌避具を製作する製作キット（以下、「本キット」という。）も提供する。
即ち、本キットは、支持部材と突出部材とを含んでなる、本忌避具を製作する製作キットである。
支持部材と突出部材とが組み付けられた状態として本忌避具は製造や販売等がされてもよいが、流通や在庫の便を考慮すると、支持部材と突出部材とが組み付けられていない状態の本忌避具製作キット（本キット）として製造や販売等がされてもよい。かかる本キットに含まれる支持部材と突出部材とは一般の需用者により容易に組み付けて本忌避具が形成できるように構成されることが好ましい。
【００１７】
また、本考案は、係止具取付本忌避具を製作する製作キット（以下、「係止具含有本キット」という。）も提供する。
係止具含有本キットは、支持部材と突出部材と係止具とを含んでなる、係止具取付本忌避具を製作する製作キットである。
突出部材形成部材の長手方向に沿って相対的移動が規制されると共に支持部材貫通孔を通過不可能な係止具を含んで構成される本忌避具（係止具取付本忌避具）は、支持部材と突出部材と係止具とが組み付けられた状態として製造や販売等がされてもよいが、流通や在庫の便を考慮すると、支持部材と突出部材と係止具とが組み付けられていない状態の本忌避具製作キット（係止具含有本キット）として製造や販売等がされてもよい。かかる係止具含有本キットに含まれる支持部材と突出部材と係止具とは一般の需用者により容易に組み付けて本忌避具（係止具取付本忌避具）が形成できるように構成されることが好ましい。
【図面の簡単な説明】
【００１８】
【図１】第１の実施形態の本忌避具を示す斜視図である。
【図２】第１の実施形態の本忌避具の正面図である。
【図３】第１の実施形態の本忌避具の平面図である。
【図４】図３のＣ−Ｃ断面図（一部拡大断面図）である。
【図５】第１の実施形態の本忌避具の使用方法を説明する断面図である。
【図６】第１の実施形態の本忌避具の使用方法を説明する平面図である。
【図７】第２の実施形態の本忌避具を示す斜視図である。
【図８】第２の実施形態の本忌避具の正面図である。
【図９】第２の実施形態の本忌避具の平面図である。
【図１０】図９のＣ−Ｃ断面図（一部拡大断面図）である。
【図１１】第２の実施形態の本忌避具の使用方法を説明する断面図である。
【図１２】第２の実施形態の本忌避具の使用方法を説明する平面図である。
【図１３】第１の実施形態における基準面への正投影を示す図である。
【図１４】第２の実施形態における基準面への正投影を示す図である。
【考案を実施するための形態】
【００１９】
本考案の実施の形態を図面を参照して詳述するが、本考案はこれに限定されるものではない。
【００２０】
（第１の実施形態）
図１は、本考案の第１の実施形態の忌避具（本忌避具）１１を示す斜視図であり、図２は本忌避具１１の正面図（図１中の矢印Ａ方向から見たところを示す）であり、図３は本忌避具１１の平面図（図１中の矢印Ｂ方向から見たところを示す）であり、そして図４は図３のＣ−Ｃ断面図（一部拡大断面図）である。図１乃至図４を参照して、本忌避具１１について説明する。
本忌避具１１は、大まかには、真っ直ぐな棒状の柱部材１３と、柱部材１３の上端１３ａ側に取り付けられた突出棒材１５ａ、１５ｂと、を備えてなる。
【００２１】
柱部材１３は、線分に沿って真っ直ぐに延びる棒状をしており、下端１３ｂ近傍は下端１３ｂ側に向かって先細り形状に形成されている。ここでは柱部材１３は、柱部材１３の長手方向Ｌに対して垂直な断面形状が長方形（ここでは正方形）をなしているが、無論これに限定されるものではなく、ｎ角形（ｎは３以上の自然数（長方形はｎ＝４）である）、円形、楕円形等を含めどのような形状であってもよい。
柱部材１３の上端１３ａ側には、突出棒材１５ａ、１５ｂを貫入する貫入孔１３ｈａ、１３ｈｂが穿設されている（図４参照）。貫入孔１３ｈａは柱部材１３の長手方向Ｌに対して垂直な直線（以下、「第１孔線」という）に沿って真っ直ぐ円形に形成されていると共に、貫入孔１３ｈｂは柱部材１３の長手方向Ｌに対して垂直な直線（以下、「第２孔線」という）に沿って真っ直ぐ円形に形成されている（なお、貫入孔１３ｈａ、１３ｈｂは同径である）。第１孔線及び第２孔線は、前述の如く柱部材１３の長手方向Ｌに対していずれも垂直かつ互いにねじれの位置をなし、一方を平行移動させて他方と交わらせると一方と他方とは直交する。
柱部材１３は、ここでは合成樹脂製の棒状部材によって形成されているが、材質は合成樹脂に限定されるものではなく、その他の材質（例えば、木材、竹、金属等）によって形成されてもよい。
【００２２】
突出棒材１５ａ、１５ｂは、いずれも同形状及び同寸法の真っ直ぐな細長い丸棒形状の部材によって形成されている。
突出棒材１５ａは、柱部材１３の上端１３ａ側に形成された貫入孔１３ｈａに貫入されており（貫入孔１３ｈａは突出棒材１５ａを貫入可能な寸法に形成されている）、突出棒材１５ａの貫入孔１３ｈａから突出した一方側の部分である一方部分１５ａ１の長さと、他方側の部分である他方部分１５ａ２の長さと、が略等しい位置において、突出棒材１５ａは柱部材１３に対して係止具１６によって固定されている。詳述すれば、係止具１６は、合成ゴムや合成樹脂等のような柔軟な材料によって形成されており、突出棒材１５ａが貫通可能な貫通孔を有している。該貫通孔の径は突出棒材１５ａの径よりもやや小さく形成されており、係止具１６の該貫通孔に突出棒材１５ａを貫通させた状態では、係止具１６の該貫通孔内面と突出棒材１５ａ外面との間の摩擦によって係止具１６は突出棒材１５ａに対し固定される。かかる係止具１６の該貫通孔内面と突出棒材１５ａ外面との間の摩擦よりも大きな力を加えることで、係止具１６を突出棒材１５ａに対し適宜移動させることができる。このように柱部材１３の貫入孔１３ｈａに貫入された突出棒材１５ａに貫入孔１３ｈａの両側から係止具１６が外嵌され、一対の係止具１６が柱部材１３外面に当接することで（係止具１６は貫入孔１３ｈａを通過不可能である）、突出棒材１５ａは柱部材１３に取り付けられている。
同様に、突出棒材１５ｂは、柱部材１３の上端１３ａ側に形成された貫入孔１３ｈｂに貫入されており（貫入孔１３ｈｂは突出棒材１５ｂを貫入可能な寸法に形成されている）、突出棒材１５ｂの貫入孔１３ｈｂから突出した一方側の部分である一方部分１５ｂ１の長さと、他方側の部分である他方部分１５ｂ２の長さと、が略等しい位置において、突出棒材１５ｂは柱部材１３に対して係止具１６によって固定されている。詳述すれば、ここでも係止具１６は、合成ゴムや合成樹脂等のような柔軟な材料によって形成されており、突出棒材１５ｂが貫通可能な貫通孔を有している。該貫通孔の径は突出棒材１５ｂの径よりもやや小さく形成されており、係止具１６の該貫通孔に突出棒材１５ｂを貫通させた状態では、係止具１６の該貫通孔内面と突出棒材１５ｂ外面との間の摩擦によって係止具１６は突出棒材１５ｂに対し固定される。かかる係止具１６の該貫通孔内面と突出棒材１５ｂ外面との間の摩擦よりも大きな力を加えることで、係止具１６を突出棒材１５ｂに対し適宜移動させることができる。このように柱部材１３の貫入孔１３ｈｂに貫入された突出棒材１５ｂに貫入孔１３ｈｂの両側から係止具１６が外嵌され、一対の係止具１６が柱部材１３外面に当接することで（係止具１６は貫入孔１３ｈｂを通過不可能である）、突出棒材１５ｂは柱部材１３に取り付けられている。
なお、ここでは突出棒材１５ａ、１５ｂは、いずれも金属によって形成されているが、材質は金属に限定されるものではなく、その他の材質（例えば、木材、竹、合成樹脂等）によって形成されてもよい。また、ここでは柱部材１３に対して突出棒材１５ａ、１５ｂを係止具１６によって取り付けているが、接着剤による固定やネジ止め等のような別の取付方法によってもよい。
【００２３】
次いで、本忌避具１１の使用方法を説明する。本忌避具１１は、図１乃至図４に示す状態のような完成品として製造や販売が行われてもよいが、柱部材１３、突出棒材１５ａ、１５ｂ及び係止具１６をセットにした忌避具セットとして製造や販売を行うようにしてもよい。忌避具セットによれば、柱部材１３の貫入孔１３ｈａに突出棒材１５ａを貫通させ、一対の係止具１６によって突出棒材１５ａを柱部材１３に取り付けると共に、柱部材１３の貫入孔１３ｈｂに突出棒材１５ｂを貫通させ、一対の係止具１６によって突出棒材１５ｂを柱部材１３に取り付けることで本忌避具１１を組み立てることができる。
図５は、本忌避具１１の使用方法の一例を説明する断面図である（図５における本忌避具１１は、図２における本忌避具１１と同様の方向から見ている）。
忌避したい動物（例えば、ネコ）が歩行、排尿及び脱糞等する地表面１０１に本忌避具１１の柱部材１３を立設する。具体的には、柱部材１３の先細りの下端１３ｂを地表面１０１から地中１０３へ突き刺すことで、柱部材１３の下端１３ｂ近傍を地中１０３へ埋入し柱部材１３を立設する（このとき柱部材１３の長手方向Ｌが鉛直方向に向くようにする）。これによって本忌避具１１を地表面１０１に配設できる（柱部材１３下端１３ｂ近傍が鉛直下方向に向いて地中１０３へ埋入されるので、地表面１０１に沿った方向に吹く風に飛ばされにくい。）。
【００２４】
このように本忌避具１１を地表面１０１に配設した状態の平面図（図５中の矢印Ｄ方向から見たところ）を図６に示す。図６及び図５の如く、柱部材１３の長手方向Ｌが鉛直方向に向くように本忌避具１１を地表面１０１に配設すると、一方部分１５ａ１、他方部分１５ａ２、一方部分１５ｂ１及び他方部分１５ｂ２のいずれも柱部材１３から地表面１０１（ほぼ水平面に沿っている）に沿って水平に突出するように延びている。即ち、一方部分１５ａ１の先端１５ａ１ｃ、他方部分１５ａ２の先端１５ａ２ｃ、一方部分１５ｂ１の先端１５ｂ１ｃ及び他方部分１５ｂ２の先端１５ｂ２ｃのいずれも柱部材１３から地表面１０１に沿って突出する方向に向いているので、忌避したい動物が地表面１０１を歩いて本忌避具１１に近づいて来ると、一方部分１５ａ１、他方部分１５ａ２、一方部分１５ｂ１及び他方部分１５ｂ２（特に、一方部分１５ａ１の先端１５ａ１ｃ、他方部分１５ａ２の先端１５ａ２ｃ、一方部分１５ｂ１の先端１５ｂ１ｃ及び他方部分１５ｂ２の先端１５ｂ２ｃ）に忌避したい動物の身体（顔面や触角を含む）が衝突する（特に、忌避したい動物がネコである場合、ネコの静態視力は０．２程度と低いと言われており、突出棒材１５ａ、１５ｂをうまく認識することができず突出棒材１５ａ、１５ｂに衝突しやすい。）。これによって忌避したい動物が、痛み、不快感、恐怖を感じ、それ以上に本忌避具１１に近づかない。そして、このような経験に基づく学習によって忌避したい動物が本忌避具１１に近寄らなくなることで忌避効果を奏する。
また、ネコやイヌ等のような動物は、排尿や脱糞時に座り込む体勢をとるが、地表面１０１に本忌避具１１が配設されることで、本忌避具１１の柱部材１３、一方部分１５ａ１、他方部分１５ａ２、一方部分１５ｂ１及び他方部分１５ｂ２が邪魔になって、この座り込む体勢がとれなくなり、排尿や脱糞を回避することができる。
【００２５】
以上のように本忌避具１１は、構成が簡単であり安価に製造でき、設置も容易である。本忌避具１１は、柱部材１３を中心に本忌避具１１各々が独立した構造であるので、場所を選ばす容易に設置できる（例えば、複雑な植え込み部分、段差部分、狭い場所、曲がりくねった場所等）。なお、本忌避具１１は、必要に応じて複数個を地表面１０１に設置することもでき、広い場所に適用することもできる。加えて、本忌避具１１は、柱部材１３の下端１３ｂを地中１０３へ突き刺すことで簡単に設置でき、柱部材１３を地中１０３から引き抜くことで簡単に撤去できるので、適宜、設置場所を容易に移動させることもできる。しかしながら、忌避したい動物は、柱部材１３を地中１０３から引き抜くことを思いつかないので撤去することはできない。また、本忌避具１１は、小さく構成できるので目立たないことから美観を損ねることが少ない。
【００２６】
このように本忌避具１１は、一端（ここでは下端１３ｂ）と他端（ここでは上端１３ａ）とを有する支持部材（ここでは柱部材１３）と、棒材又は線材によって形成され、該一端（下端１３ｂ）と該他端（上端１３ａ）とを結ぶ線分（図２中、点線Ｙにて示す）に交わり該線分Ｙに対して垂直な仮想上の平面である基準面（図２中、基準面の一つを平面Ｐにて示す）に平行な成分を、基端（一方部分１５ａ１の基端１５ａ１ｂ、他方部分１５ａ２の基端１５ａ２ｂ、一方部分１５ｂ１の基端１５ｂ１ｂ及び他方部分１５ｂ２の基端１５ｂ２ｂ）から先端（一方部分１５ａ１の先端１５ａ１ｃ、他方部分１５ａ２の先端１５ａ２ｃ、一方部分１５ｂ１の先端１５ｂ１ｃ及び他方部分１５ｂ２の先端１５ｂ２ｃ）を結ぶ突出方向が有するように基端（一方部分１５ａ１の基端１５ａ１ｂ、他方部分１５ａ２の基端１５ａ２ｂ、一方部分１５ｂ１の基端１５ｂ１ｂ及び他方部分１５ｂ２の基端１５ｂ２ｂ）が支持部材（柱部材１３）に取り付けられる突出部材（一方部分１５ａ１、他方部分１５ａ２、一方部分１５ｂ１及び他方部分１５ｂ２）と、を備えてなる、動物の忌避具である。なお、突出部材（一方部分１５ａ１、他方部分１５ａ２、一方部分１５ｂ１及び他方部分１５ｂ２）の突出方向（一方部分１５ａ１においては基端１５ａ１ｂから先端１５ａ１ｃを結ぶ方向、他方部分１５ａ２においては基端１５ａ２ｂから先端１５ａ２ｃを結ぶ方向、一方部分１５ｂ１においては基端１５ｂ１ｂから先端１５ｂ１ｃを結ぶ方向、他方部分１５ｂ２においては基端１５ｂ２ｂから先端１５ｂ２ｃを結ぶ方向）は、ここでは基準面Ｐに略平行である（無論、突出方向は基準面Ｐに平行な成分を有する）。
【００２７】
本忌避具１１においては、基準面Ｐへの突出方向の正投影である投影突出方向が互いに異なる少なくとも２以上（ここでは４）の突出部材（一方部分１５ａ１、他方部分１５ａ２、一方部分１５ｂ１及び他方部分１５ｂ２）を備える。図１３は、基準面Ｐへの突出方向の正投影である投影突出方向を示す図であり、一方部分１５ａ１の投影突出方向Ｆａ１、他方部分１５ａ２の投影突出方向Ｆａ２、一方部分１５ｂ１の投影突出方向Ｆｂ１、他方部分１５ｂ２の投影突出方向Ｆｂ２は互いに異なっている（ここでは略直交している）。
本忌避具１１においては、突出部材（一方部分１５ａ１、他方部分１５ａ２、一方部分１５ｂ１及び他方部分１５ｂ２）が少なくとも３本（ここでは４本）存するものであり、各突出部材の先端（先端１５ａ１ｃ、先端１５ａ２ｃ、先端１５ｂ１ｃ及び先端１５ｂ２ｃ）の基準面への正投影（図１３中、先端１５ａ１ｃの正投影Ｇａ１ｃ、先端１５ａ２ｃの正投影Ｇａ２ｃ、先端１５ｂ１ｃの正投影Ｇｂ１ｃ、先端１５ｂ２ｃの正投影Ｇｂ２ｃ）を結んだ図形（図１３中、点線Ｔにより示す）によって、支持部材（柱部材１３）の基準面Ｐへの正投影（図１３中、Ｓ）が取り囲まれるものである。
【００２８】
本忌避具１１においては、２の突出部材が一体の突出部材形成部材によって形成されており（一方部分１５ａ１及び他方部分１５ａ２の２の突出部材が一体の突出部材形成部材（突出棒材１５ａ）により形成されると共に、一方部分１５ｂ１及び他方部分１５ｂ２の２の突出部材が一体の突出部材形成部材（突出棒材１５ｂ）により形成されている。）、支持部材（柱部材１３）に形成された支持部材貫通孔（貫入孔１３ｈａ、１３ｈｂ）に突出部材形成部材（突出棒材１５ａ、１５ｂ）が貫入され、支持部材貫通孔（貫入孔１３ｈａ、１３ｈｂ）に貫入された突出部材形成部材（突出棒材１５ａ、１５ｂ）が、支持部材貫通孔（貫入孔１３ｈａ、１３ｈｂ）から一方側に突出した一方突出部分（一方部分１５ａ１、一方部分１５ｂ１）と、支持部材貫通孔（貫入孔１３ｈａ、１３ｈｂ）から他方側に突出した他方突出部分（他方部分１５ａ２、他方部分１５ｂ２）と、を有しており、一方突出部分と他方突出部分とが該２の突出部材を形成するものである（一方突出部分と他方突出部分とが一方部分１５ａ１及び他方部分１５ａ２を形成すると共に、一方突出部分と他方突出部分とが一方部分１５ｂ１及び他方部分１５ｂ２を形成する）。
本忌避具１１においては、突出部材形成部材（突出棒材１５ａ、１５ｂ）の長手方向（ここでは突出方向に同じ）に沿って突出部材形成部材（突出棒材１５ａ、１５ｂ）に対する相対的移動が規制され支持部材貫通孔（貫入孔１３ｈａ、１３ｈｂ）を通過不可能な係止具１６が、一方突出部分（一方部分１５ａ１、一方部分１５ｂ１）と他方突出部分（他方部分１５ａ２、他方部分１５ｂ２）との少なくともいずれか（ここでは両方）に取り付けられているものである。
本忌避具１１においては、係止具１６は、突出部材形成部材（突出棒材１５ａ、１５ｂ）に外嵌される可撓性材料（ここではゴム）によって形成されたリング状部材である。
【００２９】
本忌避具１１においては、突出部材（一方部分１５ａ１、他方部分１５ａ２、一方部分１５ｂ１及び他方部分１５ｂ２）の基準面Ｐへの正投影（図１３中、一方部分１５ａ１の正投影Ｊａ１、他方部分１５ａ２の正投影Ｊａ２、一方部分１５ｂ１の正投影Ｊｂ１、他方部分１５ｂ２の正投影Ｊｂ２）において、突出部材の先端（正投影Ｇａ１ｃ、正投影Ｇａ２ｃ、正投影Ｇｂ１ｃ、正投影Ｇｂ２ｃ）及びそれに連なる部分が、支持部材（柱部材１３）の基準面Ｐへの正投影Ｓからの距離が該先端（正投影Ｇａ１ｃ、正投影Ｇａ２ｃ、正投影Ｇｂ１ｃ、正投影Ｇｂ２ｃ）に向かうにつれて単調増加するものである。
本忌避具１１においては、突出部材（一方部分１５ａ１、他方部分１５ａ２、一方部分１５ｂ１及び他方部分１５ｂ２）の基準面Ｐへの正投影（図１３中、一方部分１５ａ１の正投影Ｊａ１、他方部分１５ａ２の正投影Ｊａ２、一方部分１５ｂ１の正投影Ｊｂ１、他方部分１５ｂ２の正投影Ｊｂ２）が線分に略沿っているものである。
本忌避具１１においては、突出部材（一方部分１５ａ１、他方部分１５ａ２、一方部分１５ｂ１及び他方部分１５ｂ２）が基端（一方部分１５ａ１の基端１５ａ１ｂ、他方部分１５ａ２の基端１５ａ２ｂ、一方部分１５ｂ１の基端１５ｂ１ｂ及び他方部分１５ｂ２の基端１５ｂ２ｂ）から先端（一方部分１５ａ１の先端１５ａ１ｃ、他方部分１５ａ２の先端１５ａ２ｃ、一方部分１５ｂ１の先端１５ｂ１ｃ及び他方部分１５ｂ２の先端１５ｂ２ｃ）まで線分に略沿っているものである。
【００３０】
本忌避具１１においては、支持部材（柱部材１３）が、線分に略沿った棒状部材（真っ直ぐな棒）により形成されているものである。
本忌避具１１は、支持部材（柱部材１３）と突出部材（一方部分１５ａ１、他方部分１５ａ２、一方部分１５ｂ１及び他方部分１５ｂ２）と係止具１６とを含んでなる、忌避具の製作キットとして製造したり販売することができる。
【００３１】
（第２の実施形態）
図７は、本考案の第２の実施形態の忌避具（本忌避具）５１を示す斜視図であり、図８は本忌避具５１の正面図であり、図９は本忌避具５１の平面図（図７及び図８中の矢印Ｂ方向から見たところを示す）であり、そして図１０は図９のＣ−Ｃ断面図（一部拡大断面図）である。図７乃至図１０を参照して、本忌避具５１について説明する。
本忌避具５１は、大まかには、真っ直ぐな棒状の柱部材５３と、柱部材５３の上端５３ａ側に取り付けられた突出棒材５５ａ、５５ｂ、５５ｃと、を備えてなる。
【００３２】
柱部材５３は、線分に沿って真っ直ぐに延びる棒状をしており、下端５３ｂ近傍は下端５３ｂ側に向かって先細り形状に形成されている。ここでは柱部材５３は、柱部材５３の長手方向Ｌに対して垂直な断面形状が円形をなしているが、無論これに限定されるものではなく、ｎ角形（ｎは３以上の自然数である）や楕円形等を含めどのような形状であってもよい。
柱部材５３の上端５３ａ側には、突出棒材５５ａ、５５ｂ、５５ｃを貫入する貫入孔５３ｈａ、５３ｈｂ、５３ｈｃが穿設されている（図１０参照）。貫入孔５３ｈａは柱部材５３の長手方向Ｌに対して垂直な直線（以下、「孔線ａ」という）に沿って真っ直ぐ円形に形成されており、貫入孔５３ｈｂは柱部材５３の長手方向Ｌに対して垂直な直線（以下、「孔線ｂ」という）に沿って真っ直ぐ円形に形成されており、そして貫入孔５３ｈｃは柱部材５３の長手方向Ｌに対して垂直な直線（以下、「孔線ｃ」という）に沿って真っ直ぐ円形に形成されている（なお、貫入孔５３ｈａ、５３ｈｂ、５３ｈｃは同径である）。孔線ａ、孔線ｃ及び孔線ｂは、前述の如く柱部材５３の長手方向Ｌに対していずれも垂直かつ互いにねじれの位置をなし、孔線ａと孔線ｃとの間の距離と孔線ｃと孔線ｂとの間の距離とは等しい。また、孔線ａ及び孔線ｃを平行移動させ孔線ｂに交わるようにすると、３本の孔線は長手方向Ｌに対して垂直な一平面内で互いのなす角度が約６０度にて一点で交わる。
柱部材５３は、ここでは合成樹脂製の棒状部材によって形成されているが、材質は合成樹脂に限定されるものではなく、その他の材質（例えば、木材、竹、金属等）によって形成されてもよい。
【００３３】
突出棒材５５ａ、５５ｂ、５５ｃは、いずれも同形状及び同寸法の真っ直ぐな細長い丸棒形状の部材によって形成されている。
突出棒材５５ａは、柱部材５３の上端５３ａ側に形成された貫入孔５３ｈａに貫入されており（貫入孔５３ｈａは突出棒材５５ａを貫入可能な寸法に形成されている）、突出棒材５５ａの貫入孔５３ｈａから突出した一方側の部分である一方部分５５ａ１の長さと、他方側の部分である他方部分５５ａ２の長さと、が略等しい位置において、突出棒材５５ａは柱部材５３に対して係止具５６によって固定されている。詳述すれば、係止具５６は、合成ゴムや合成樹脂等のような柔軟な材料によって形成されており、突出棒材５５ａが貫通可能な貫通孔を有している。該貫通孔の径は突出棒材５５ａの径よりもやや小さく形成されており、係止具５６の該貫通孔に突出棒材５５ａを貫通させた状態では、係止具５６の該貫通孔内面と突出棒材５５ａ外面との間の摩擦によって係止具５６は突出棒材５５ａに対し固定される。かかる係止具５６の該貫通孔内面と突出棒材５５ａ外面との間の摩擦よりも大きな力を加えることで、係止具５６を突出棒材５５ａに対し適宜移動させることができる。このように柱部材５３の貫入孔５３ｈａに貫入された突出棒材５５ａに貫入孔５３ｈａの両側から係止具５６が外嵌され、一対の係止具５６が柱部材５３外面に当接することで（係止具５６は貫入孔５３ｈａを通過不可能である）、突出棒材５５ａは柱部材５３に取り付けられている。
【００３４】
突出棒材５５ｃは、柱部材５３の上端５３ａ側に形成された貫入孔５３ｈｃに貫入されており（貫入孔５３ｈｃは突出棒材５５ｃを貫入可能な寸法に形成されている）、突出棒材５５ｃの貫入孔５３ｈｃから突出した一方側の部分である一方部分５５ｃ１の長さと、他方側の部分である他方部分５５ｃ２の長さと、が略等しい位置において、突出棒材５５ｃは柱部材５３に対して係止具５６によって固定されている。係止具５６は、合成ゴムや合成樹脂等のような柔軟な材料によって形成されており、突出棒材５５ｃが貫通可能な貫通孔を有している。該貫通孔の径は突出棒材５５ｃの径よりもやや小さく形成されており、係止具５６の該貫通孔に突出棒材５５ｃを貫通させた状態では、係止具５６の該貫通孔内面と突出棒材５５ｃ外面との間の摩擦によって係止具５６は突出棒材５５ｃに対し固定される。かかる係止具５６の該貫通孔内面と突出棒材５５ｃ外面との間の摩擦よりも大きな力を加えることで、係止具５６を突出棒材５５ｃに対し適宜移動させることができる。このように柱部材５３の貫入孔５３ｈｃに貫入された突出棒材５５ｃに貫入孔５３ｈｃの両側から係止具５６が外嵌され、一対の係止具５６が柱部材５３外面に当接することで（係止具５６は貫入孔５３ｈｃを通過不可能である）、突出棒材５５ｃは柱部材５３に取り付けられている。
【００３５】
突出棒材５５ｂは、柱部材５３の上端５３ａ側に形成された貫入孔５３ｈｂに貫入されており（貫入孔５３ｈｂは突出棒材５５ｂを貫入可能な寸法に形成されている）、突出棒材５５ｂの貫入孔５３ｈｂから突出した一方側の部分である一方部分５５ｂ１の長さと、他方側の部分である他方部分５５ｂ２の長さと、が略等しい位置において、突出棒材５５ｂは柱部材５３に対して係止具５６によって固定されている。係止具５６は、合成ゴムや合成樹脂等のような柔軟な材料によって形成されており、突出棒材５５ｂが貫通可能な貫通孔を有している。該貫通孔の径は突出棒材５５ｂの径よりもやや小さく形成されており、係止具５６の該貫通孔に突出棒材５５ｂを貫通させた状態では、係止具５６の該貫通孔内面と突出棒材５５ｂ外面との間の摩擦によって係止具５６は突出棒材５５ｂに対し固定される。かかる係止具５６の該貫通孔内面と突出棒材５５ｂ外面との間の摩擦よりも大きな力を加えることで、係止具５６を突出棒材５５ｂに対し適宜移動させることができる。このように柱部材５３の貫入孔５３ｈｂに貫入された突出棒材５５ｂに貫入孔５３ｈｂの両側から係止具５６が外嵌され、一対の係止具５６が柱部材５３外面に当接することで（係止具５６は貫入孔５３ｈｂを通過不可能である）、突出棒材５５ｂは柱部材５３に取り付けられている。
なお、ここでは突出棒材５５ａ、５５ｂ、５５ｃは、いずれも金属によって形成されているが、材質は金属に限定されるものではなく、その他の材質（例えば、木材、竹、合成樹脂等）によって形成されてもよい。また、ここでは柱部材５３に対して突出棒材５５ａ、５５ｂ、５５ｃを係止具５６によって取り付けているが、接着剤による固定やネジ止め等のような別の取付方法によってもよい。
【００３６】
次いで、本忌避具５１の使用方法を説明する。本忌避具５１は、図７乃至図１０に示す状態のような完成品として製造や販売が行われてもよいが、柱部材５３、突出棒材５５ａ、５５ｂ、５５ｃ及び係止具５６をセットにした忌避具セットとして製造や販売を行うようにしてもよい。忌避具セットによれば、柱部材５３の貫入孔５３ｈａに突出棒材５５ａを貫通させ、一対の係止具５６によって突出棒材５５ａを柱部材５３に取り付け、柱部材５３の貫入孔５３ｈｃに突出棒材５５ｃを貫通させ、一対の係止具５６によって突出棒材５５ｃを柱部材５３に取り付け、そして柱部材５３の貫入孔５３ｈｂに突出棒材５５ｂを貫通させ、一対の係止具５６によって突出棒材５５ｂを柱部材５３に取り付けることで本忌避具５１を組み立てることができる。
図１１は、本忌避具５１の使用方法の一例を説明する断面図である（図１１における本忌避具５１は、図８における本忌避具５１と同様の方向から見ている）。
忌避したい動物（例えば、ネコ）が歩行、排尿及び脱糞等する地表面１０１に本忌避具５１の柱部材５３を立設する。具体的には、柱部材５３の先細りの下端５３ｂを地表面１０１から地中１０３へ突き刺すことで、柱部材５３の下端５３ｂ近傍を地中１０３へ埋入し柱部材５３を立設する（このとき柱部材５３の長手方向Ｌが鉛直方向に向くようにする）。これによって本忌避具５１を地表面１０１に配設できる（柱部材５３下端５３ｂ近傍が鉛直下方向に向いて地中１０３へ埋入されるので、地表面１０１に沿った方向に吹く風に飛ばされにくい。）。
【００３７】
このように本忌避具５１を地表面１０１に配設した状態の平面図（図１１中の矢印Ｄ方向から見たところ）を図１２に示す。図１２及び図１１の如く、柱部材５３の長手方向Ｌが鉛直方向に向くように本忌避具５１を地表面１０１に配設すると、一方部分５５ａ１、他方部分５５ａ２、一方部分５５ｂ１、他方部分５５ｂ２、一方部分５５ｃ１、他方部分５５ｃ２のいずれも柱部材５３から地表面１０１（ほぼ水平面に沿っている）に沿って水平に突出するように延びている。即ち、一方部分５５ａ１の先端５５ａ１ｃ、他方部分５５ａ２の先端５５ａ２ｃ、一方部分５５ｂ１の先端５５ｂ１ｃ、他方部分５５ｂ２の先端５５ｂ２ｃ、一方部分５５ｃ１の先端５５ｃ１ｃ、他方部分５５ｃ２の先端５５ｃ２ｃのいずれも柱部材５３から地表面１０１に沿って突出する方向に向いているので、忌避したい動物が地表面１０１を歩いて本忌避具５１に近づいて来ると、一方部分５５ａ１、他方部分５５ａ２、一方部分５５ｂ１、他方部分５５ｂ２、一方部分５５ｃ１、他方部分５５ｃ２（特に、一方部分５５ａ１の先端５５ａ１ｃ、他方部分５５ａ２の先端５５ａ２ｃ、一方部分５５ｂ１の先端５５ｂ１ｃ、他方部分５５ｂ２の先端５５ｂ２ｃ、一方部分５５ｃ１の先端５５ｃ１ｃ、他方部分５５ｃ２の先端５５ｃ２ｃ）に忌避したい動物の身体（顔面や触角を含む）が衝突する（特に、忌避したい動物がネコである場合、ネコの静態視力は０．２程度と低いと言われており、突出棒材５５ａ、５５ｂ、５５ｃをうまく認識することができず突出棒材５５ａ、５５ｂ、５５ｃに衝突しやすい。）。これによって忌避したい動物が、痛み、不快感、恐怖を感じ、それ以上に本忌避具５１に近づかない。そして、このような経験に基づく学習によって忌避したい動物が本忌避具５１に近寄らなくなることで忌避効果を奏する。
また、ネコやイヌ等のような動物は、排尿や脱糞時に座り込む体勢をとるが、地表面１０１に本忌避具５１が配設されることで、本忌避具５１の柱部材５３、一方部分５５ａ１、他方部分５５ａ２、一方部分５５ｂ１、他方部分５５ｂ２、一方部分５５ｃ１、他方部分５５ｃ２が邪魔になって、この座り込む体勢がとれなくなり、排尿や脱糞を回避することができる。
【００３８】
以上のように本忌避具５１は、構成が簡単であり安価に製造でき、設置も容易である。本忌避具５１は、柱部材５３を中心に本忌避具５１各々が独立した構造であるので、場所を選ばす容易に設置できる（例えば、複雑な植え込み部分、段差部分、狭い場所、曲がりくねった場所等）。なお、本忌避具５１は、必要に応じて複数個を地表面１０１に設置することもでき、広い場所に適用することもできる。加えて、本忌避具５１は、柱部材５３の下端５３ｂを地中１０３へ突き刺すことで簡単に設置でき、柱部材５３を地中１０３から引き抜くことで簡単に撤去できるので、適宜、設置場所を容易に移動させることもできる。しかしながら、忌避したい動物は、柱部材５３を地中１０３から引き抜くことを思いつかないので撤去することはできない。また、本忌避具５１は、小さく構成できるので目立たないことから美観を損ねることが少ない。
【００３９】
このように本忌避具５１は、一端（ここでは下端５３ｂ）と他端（ここでは上端５３ａ）とを有する支持部材（ここでは柱部材５３）と、棒材又は線材によって形成され、該一端（下端５３ｂ）と該他端（上端５３ａ）とを結ぶ線分（図８中、点線Ｙにて示す）に交わり該線分Ｙに対して垂直な仮想上の平面である基準面（図８中、基準面の一つを平面Ｐにて示す）に平行な成分を、基端（一方部分５５ａ１の基端５５ａ１ｂ、他方部分５５ａ２の基端５５ａ２ｂ、一方部分５５ｂ１の基端５５ｂ１ｂ、他方部分５５ｂ２の基端５５ｂ２ｂ、一方部分５５ｃ１の基端５５ｃ１ｂ、他方部分５５ｃ２の基端５５ｃ２ｂ）から先端（一方部分５５ａ１の先端５５ａ１ｃ、他方部分５５ａ２の先端５５ａ２ｃ、一方部分５５ｂ１の先端５５ｂ１ｃ、他方部分５５ｂ２の先端５５ｂ２ｃ、一方部分５５ｃ１の先端５５ｃ１ｃ、他方部分５５ｃ２の先端５５ｃ２ｃ）を結ぶ突出方向が有するように基端（一方部分５５ａ１の基端５５ａ１ｂ、他方部分５５ａ２の基端５５ａ２ｂ、一方部分５５ｂ１の基端５５ｂ１ｂ、他方部分５５ｂ２の基端５５ｂ２ｂ、一方部分５５ｃ１の基端５５ｃ１ｂ、他方部分５５ｃ２の基端５５ｃ２ｂ）が支持部材（柱部材５３）に取り付けられる突出部材（一方部分５５ａ１、他方部分５５ａ２、一方部分５５ｂ１、他方部分５５ｂ２、一方部分５５ｃ１、他方部分５５ｃ２）と、を備えてなる、動物の忌避具である。なお、突出部材（一方部分５５ａ１、他方部分５５ａ２、一方部分５５ｂ１、他方部分５５ｂ２、一方部分５５ｃ１、他方部分５５ｃ２）の突出方向（一方部分５５ａ１においては基端５５ａ１ｂから先端５５ａ１ｃを結ぶ方向、他方部分５５ａ２においては基端５５ａ２ｂから先端５５ａ２ｃを結ぶ方向、一方部分５５ｂ１においては基端５５ｂ１ｂから先端５５ｂ１ｃを結ぶ方向、他方部分５５ｂ２においては基端５５ｂ２ｂから先端５５ｂ２ｃを結ぶ方向、一方部分５５ｃ１においては基端５５ｃ１ｂから先端５５ｃ１ｃを結ぶ方向、他方部分５５ｃ２においては基端５５ｃ２ｂから先端５５ｃ２ｃを結ぶ方向）は、ここでは基準面Ｐに略平行である（無論、突出方向は基準面Ｐに平行な成分を有する）。
【００４０】
本忌避具５１においては、基準面Ｐへの突出方向の正投影である投影突出方向が互いに異なる少なくとも２以上（ここでは６）の突出部材（一方部分５５ａ１、他方部分５５ａ２、一方部分５５ｂ１、他方部分５５ｂ２、一方部分５５ｃ１、他方部分５５ｃ２）を備える。図１４は、基準面Ｐへの突出方向の正投影である投影突出方向を示す図であり、一方部分５５ａ１の投影突出方向Ｆａ１、他方部分５５ａ２の投影突出方向Ｆａ２、一方部分５５ｂ１の投影突出方向Ｆｂ１、他方部分５５ｂ２の投影突出方向Ｆｂ２、一方部分５５ｃ１の投影突出方向Ｆｃ１、他方部分５５ｃ２の投影突出方向Ｆｃ２は互いに異なっている（ここでは互いに６０度の角度を略なしている）。
本忌避具５１においては、突出部材（一方部分５５ａ１、他方部分５５ａ２、一方部分５５ｂ１、他方部分５５ｂ２、一方部分５５ｃ１、他方部分５５ｃ２）が少なくとも３本（ここでは６本）存するものであり、各突出部材の先端（先端５５ａ１ｃ、先端５５ａ２ｃ、先端５５ｂ１ｃ、先端５５ｂ２ｃ、先端５５ｃ１ｃ、先端５５ｃ２ｃ）の基準面への正投影（図１４中、先端５５ａ１ｃの正投影Ｇａ１ｃ、先端５５ａ２ｃの正投影Ｇａ２ｃ、先端５５ｂ１ｃの正投影Ｇｂ１ｃ、先端５５ｂ２ｃの正投影Ｇｂ２ｃ、先端５５ｃ１ｃの正投影Ｇｃ１ｃ、先端５５ｃ２ｃの正投影Ｇｃ２ｃ）を結んだ図形（図１４中、点線Ｔにより示す）によって、支持部材（柱部材５３）の基準面Ｐへの正投影（図１４中、Ｓ）が取り囲まれるものである。
【００４１】
本忌避具５１においては、２の突出部材が一体の突出部材形成部材によって形成されており（一方部分５５ａ１及び他方部分５５ａ２の２の突出部材が一体の突出部材形成部材（突出棒材５５ａ）により形成され、一方部分５５ｂ１及び他方部分５５ｂ２の２の突出部材が一体の突出部材形成部材（突出棒材５５ｂ）により形成され、そして一方部分５５ｃ１及び他方部分５５ｃ２の２の突出部材が一体の突出部材形成部材（突出棒材５５ｃ）により形成されている。）、支持部材（柱部材５３）に形成された支持部材貫通孔（貫入孔５３ｈａ、５３ｈｂ、５３ｈｃ）に突出部材形成部材（突出棒材５５ａ、５５ｂ、５５ｃ）が貫入され、支持部材貫通孔（貫入孔５３ｈａ、５３ｈｂ、５３ｈｃ）に貫入された突出部材形成部材（突出棒材５５ａ、５５ｂ、５５ｃ）が、支持部材貫通孔（貫入孔５３ｈａ、５３ｈｂ、５３ｈｃ）から一方側に突出した一方突出部分（一方部分５５ａ１、一方部分５５ｂ１、一方部分５５ｃ１）と、支持部材貫通孔（貫入孔５３ｈａ、５３ｈｂ、５３ｈｃ）から他方側に突出した他方突出部分（他方部分５５ａ２、他方部分５５ｂ２、他方部分５５ｃ２）と、を有しており、一方突出部分と他方突出部分とが該２の突出部材を形成するものである（一方突出部分と他方突出部分とが一方部分５５ａ１及び他方部分５５ａ２を形成し、一方突出部分と他方突出部分とが一方部分５５ｂ１及び他方部分５５ｂ２を形成し、そして一方突出部分と他方突出部分とが一方部分５５ｃ１及び他方部分５５ｃ２を形成する）。
本忌避具５１においては、突出部材形成部材（突出棒材５５ａ、５５ｂ、５５ｃ）の長手方向（ここでは突出方向に同じ）に沿って突出部材形成部材（突出棒材５５ａ、５５ｂ、５５ｃ）に対する相対的移動が規制され支持部材貫通孔（貫入孔５３ｈａ、５３ｈｂ、５３ｈｃ）を通過不可能な係止具５６が、一方突出部分（一方部分５５ａ１、一方部分５５ｂ１、一方部分５５ｃ１）と他方突出部分（他方部分５５ａ２、他方部分５５ｂ２、他方部分５５ｃ２）との少なくともいずれか（ここでは両方）に取り付けられているものである。
本忌避具５１においては、係止具５６は、突出部材形成部材（突出棒材５５ａ、５５ｂ、５５ｃ）に外嵌される可撓性材料（ここではゴム）によって形成されたリング状部材である。
【００４２】
本忌避具５１においては、突出部材（一方部分５５ａ１、他方部分５５ａ２、一方部分５５ｂ１、他方部分５５ｂ２、一方部分５５ｃ１、他方部分５５ｃ２）の基準面Ｐへの正投影（図１４中、一方部分５５ａ１の正投影Ｊａ１、他方部分５５ａ２の正投影Ｊａ２、一方部分５５ｂ１の正投影Ｊｂ１、他方部分５５ｂ２の正投影Ｊｂ２、一方部分５５ｃ１の正投影Ｊｃ１、他方部分５５ｃ２の正投影Ｊｃ２）において、突出部材の先端（正投影Ｇａ１ｃ、正投影Ｇａ２ｃ、正投影Ｇｂ１ｃ、正投影Ｇｂ２ｃ、正投影Ｇｃ１ｃ、正投影Ｇｃ２ｃ）及びそれに連なる部分が、支持部材（柱部材５３）の基準面Ｐへの正投影Ｓからの距離が該先端（正投影Ｇａ１ｃ、正投影Ｇａ２ｃ、正投影Ｇｂ１ｃ、正投影Ｇｂ２ｃ、正投影Ｇｃ１ｃ、正投影Ｇｃ２ｃ）に向かうにつれて単調増加するものである。
本忌避具５１においては、突出部材（一方部分５５ａ１、他方部分５５ａ２、一方部分５５ｂ１、他方部分５５ｂ２、一方部分５５ｃ１、他方部分５５ｃ２）の基準面Ｐへの正投影（図１４中、一方部分５５ａ１の正投影Ｊａ１、他方部分５５ａ２の正投影Ｊａ２、一方部分５５ｂ１の正投影Ｊｂ１、他方部分５５ｂ２の正投影Ｊｂ２、一方部分５５ｃ１の正投影Ｊｃ１、他方部分５５ｃ２の正投影Ｊｃ２）が線分に略沿っているものである。
本忌避具５１においては、突出部材（一方部分５５ａ１、他方部分５５ａ２、一方部分５５ｂ１、他方部分５５ｂ２、一方部分５５ｃ１、他方部分５５ｃ２）が基端（一方部分５５ａ１の基端５５ａ１ｂ、他方部分５５ａ２の基端５５ａ２ｂ、一方部分５５ｂ１の基端５５ｂ１ｂ、他方部分５５ｂ２の基端５５ｂ２ｂ、一方部分５５ｃ１の基端５５ｃ１ｂ、他方部分５５ｃ２の基端５５ｃ２ｂ）から先端（一方部分５５ａ１の先端５５ａ１ｃ、他方部分５５ａ２の先端５５ａ２ｃ、一方部分５５ｂ１の先端５５ｂ１ｃ、他方部分５５ｂ２の先端５５ｂ２ｃ、一方部分５５ｃ１の先端５５ｃ１ｃ、他方部分５５ｃ２の先端５５ｃ２ｃ）まで線分に略沿っているものである。
【００４３】
本忌避具５１においては、支持部材（柱部材５３）が、線分に略沿った棒状部材（真っ直ぐな棒）により形成されているものである。
本忌避具５１は、支持部材（柱部材５３）と突出部材（一方部分５５ａ１、他方部分５５ａ２、一方部分５５ｂ１、他方部分５５ｂ２、一方部分５５ｃ１、他方部分５５ｃ２）と係止具５６とを含んでなる、忌避具の製作キットとして製造したり販売することができる。
【符号の説明】
【００４４】
１１                本忌避具
１３                柱部材
１３ａ              上端
１３ｂ              下端
１３ｈａ、１３ｈｂ  貫入孔
１５ａ、１５ｂ      突出棒材
１５ａ１            一方部分
１５ａ１ｂ          基端
１５ａ１ｃ          先端
１５ａ２            他方部分
１５ａ２ｂ          基端
１５ａ２ｃ          先端
１５ｂ１            一方部分
１５ｂ１ｂ          基端
１５ｂ１ｃ          先端
１５ｂ２            他方部分
１５ｂ２ｂ          基端
１５ｂ２ｃ          先端
１６                係止具
５１                本忌避具
５３                柱部材
５３ａ              上端
５３ｂ              下端
５３ｈａ、５３ｈｂ、５３ｈｃ  貫入孔
５５ａ、５５ｂ、５５ｃ  突出棒材
５５ａ１            一方部分
５５ａ１ｂ          基端
５５ａ１ｃ          先端
５５ａ２            他方部分
５５ａ２ｂ          基端
５５ａ２ｃ          先端
５５ｂ１            一方部分
５５ｂ１ｂ          基端
５５ｂ１ｃ          先端
５５ｂ２            他方部分
５５ｂ２ｂ          基端
５５ｂ２ｃ          先端
５５ｃ１            一方部分
５５ｃ１ｂ          基端
５５ｃ１ｃ          先端
５５ｃ２            他方部分
５５ｃ２ｂ          基端
５５ｃ２ｃ          先端
５６                係止具
１０１                地表面
１０３                地中
【図１】
0003176508.tif 000003
【図２】
0003176508.tif 000004
【図３】
0003176508.tif 000005
【図４】
0003176508.tif 000006
【図５】
0003176508.tif 000007
【図６】
0003176508.tif 000008
【図７】
0003176508.tif 000009
【図８】
0003176508.tif 000010
【図９】
0003176508.tif 000011
【図１０】
0003176508.tif 000012
【図１１】
0003176508.tif 000013
【図１２】
0003176508.tif 000014
【図１３】
0003176508.tif 000015
【図１４】
0003176508.tif 000016